(57)【要約】【課題】制御の途中の現在値や目標値等を容易に確認できるようにする。【解決手段】選択図のＡでは情報の現在値と目標値が一致している状態が示されている。これに対して同図のＢでは、例えば使用者のマウスやキーボード等の操作によって、目標値のスライダＳ２の表示位置が変更される。すなわち使用者の所望する制御の目標値が設定される。これによって同図のＣでは制御が開始され、現在値のスライダＳ１の表示位置がスライダＳ２の表示位置に向かって徐々に変化される。そして同図のＤでスライダＳ１、Ｓ２の表示位置が一致され、情報の現在値が目標値に達して制御が完了したことが明示される。従ってこの方法において、例えば制御の途中の現在値や使用者が設定した目標値を容易に確認することができ、また制御対象の状況の把握も容易になり、使用者に無用な混乱を与える恐れが解消されると共に、制御の完了なども明示することができる。【選択図】図２
2006146963.tif 000002
【特許請求の範囲】
【請求項１】
スクロールバーとスライダを用いて情報の表示を行う情報表示方法において、
上記スクロールバーに複数のスライダを設け、
上記複数のスライダにより少なくとも上記情報の現在値と目標値を表示する
ことを特徴とする情報表示方法。
【請求項２】
請求項１記載の情報表示方法において、
上記目標値を表示するスライダは上記目標値の設定された時点から上記現在値が上記目標値に一致するまでの間のみ表示される
ことを特徴とする情報表示方法。
【請求項３】
請求項１記載の情報表示方法において、
複数の上記目標値が設定され、
それぞれの上記設定された上記目標値を表示するスライダが互いに異なる形態で表示される
ことを特徴とする情報表示方法。
【請求項４】
請求項３記載の情報表示方法において、
それぞれの上記設定された上記目標値を表示するスライダはそれぞれの上記目標値の設定された時点から上記現在値が対応する上記目標値に一致するまでの間のみ表示される
ことを特徴とする情報表示方法。
【発明の詳細な説明】
【技術分野】
【０００１】
本発明は、例えばビデオカメラの撮影方向及び／または撮影画角の遠隔制御を行う際に使用して好適な情報表示方法に関するものである。
【背景技術】
【０００２】
遠隔地官の共同作業を支援するシステムとして、共同利用ウィンドウへ入力した操作者を識別するためにマーカー等の属性を変化させることは行われている（例えば、特許文献１参照。）。
【０００３】
また、プロセス監視制御を行う際に、現在地を棒グラフで表示すると共に、設定値をマークで表示しているものもある（例えば、特許文献２参照。）。
【０００４】
しかしながら、上述の技術ではいずれも、本願発明のスクロールバーとスライダを用いて情報の表示を行う情報表示方法において、スクロールバーに複数のスライダを設け、複数のスライダによって少なくとも情報の現在値と目標値を表示することにより、例えば制御の途中の現在値や使用者が設定した目標値を容易に確認することについては記載されていないものである。
【特許文献１】特開平６−２１４７４３号公報
【特許文献２】特開平６−１８０２４１号公報
【発明の開示】
【発明が解決しようとする課題】
【０００５】
例えばコンピュータのディスプレイ上において、使用者が行った操作による制御等の表示を行う手段として、いわゆるスクロールバーとスライダが用いられている。
【０００６】
すなわち図９はそのような表示の一例を示すもので、ここでは例えば遠隔地に設置されたビデオカメラで撮影された画像を観視しながら、撮影方向（Ｐａｎ／Ｔｉｌｔ）、撮影画角（Ｚｏｏｍ）及び焦点（Ｆｏｃｕｓ）等を遠隔制御を行う例が示されている。そしてこの図において、使用者がそれぞれの遠隔制御を行うと、ディスプレイ上のスクロールバーの中に表示されるスライダの位置で、その制御量が示されるものである。
【０００７】
ここでスクロールバーの全体の表示幅は、例えば図１０に示すように、そのデータの可動範囲（最小値から最大値）とスライダの幅の和となっている。そしてこの場合に、スライダの中央が現在の情報の値を示しており、使用者がこのスライダの表示位置を操作することで、表示されている情報の値を変更することができるものである。
【０００８】
ところが、例えば上述のような遠隔地に設置されたビデオカメラの遠隔制御を行う場合において、使用者がスライダの表示位置を操作して例えば撮影方向の遠隔制御を行っても、それによって直ちに撮影方向が変更されるものではなく、表示位置の操作によって撮影方向が設定されてから、相当の時間を経過して実際の撮影方向が設定された方向になるものである。
【０００９】
しかしながら、上述した従来のスクロールバーとスライダを用いた情報表示方法では、スライダが１つであるために１つの情報しか表示することができない。従って例えば使用者が操作したスライダの位置のみが表示されている場合には、上述の時間経過の間は実際の撮影方向とスライダの表示位置とが不一致となって使用者に無用な混乱を与える恐れがあった。
【００１０】
一方、スライダの表示位置が常に実際の制御位置に対応している場合には、スライダの表示位置の移動が完了するまでの間は、使用者が自ら制御した位置を確認することができず、この場合も使用者に無用な混乱を与える恐れがあった。
【００１１】
さらに複数の使用者によって１つの装置の遠隔制御が行われるようなシステムにおいては、仮に撮影方向等の移動が始まっても、それが他の使用者の操作によるものか、それ以外の原因によるものかの判断をすることができず、この場合も使用者に無用な混乱を与える恐れがあった。
【００１２】
この出願はこのような点に鑑みて成されたものであって、解決しようとする問題点は、従来の方法では、制御の途中の現在値や、使用者が設定した目標値を確認することができず、また制御が他の使用者の操作によるものか、それ以外の原因によるものかの判断をすることができず、使用者に無用な混乱を与える恐れがあったというものである。
【課題を解決するための手段】
【００１３】
このため本発明においては、スクロールバーに複数のスライダを設けて、少なくとも情報の現在値と目標値が表示されるようにしたものであって、これによれば、例えば制御の途中の現在値や使用者が設定した目標値を容易に確認することができる。
【発明の効果】
【００１４】
請求項１の発明によれば、スクロールバーに複数のスライダを設けて、少なくとも情報の現在値と目標値が表示されることによって、例えば制御の途中の現在値や使用者が設定した目標値を容易に確認することができ、また制御対象の状況の把握も容易になり、使用者に無用な混乱を与える恐れが解消されると共に、制御の完了なども明示することができるものである。
【００１５】
また、請求項２の発明によれば、目標値を表示するスライダが目標値の設定された時点から現在値が目標値に一致するまでの間のみ表示されることによって、例えば情報の現在値が目標値に達して制御が完了したことが一層明瞭に表示され、使用者に無用な混乱を与える恐れがさらに解消されるものである。
【００１６】
さらに請求項３及び請求項４の発明によれば、複数の使用者による操作が行われた場合に、自己である使用者のディスプレイにも、他の使用者の操作によるスライダが表示されることによって、自己である使用者は、他の使用者が操作を行っていることを知ることができ、使用者に無用な混乱を与える恐れを解消することができるものである。
【００１７】
すなわち本発明は、スクロールバーとスライダを用いて情報の表示を行う情報表示方法において、スクロールバーに複数のスライダを設け、複数のスライダによって少なくとも情報の現在値と目標値を表示してなるものである。
【発明を実施するための最良の形態】
【００１８】
以下、図面を参照して本発明を説明するに、図１は本発明による情報表示方法を適用した表示の一例の構成を示す線図である。
【００１９】
この図１は請求項１に対応するものであって、図１のＡでは、スクロールバーＢを上下に分割して、そのそれぞれにスライダＳ１、Ｓ２を設けた場合の表示の例を示す。また、図１のＢでは、２つのスライダＳ１、Ｓ２を重ねて設けた場合の表示の例を示す。そしてこれらの表示において、例えばスライダＳ１が情報の現在値を表示し、スライダＳ２が情報の目標値を示すものである。
【００２０】
そこで図２は、上述の図１のＡの表示を用いた場合における動作の例を示すもので、まず図２のＡでは情報の現在値と目標値が一致している状態が示されている。これに対して図２のＢでは、例えば使用者のマウスやキーボード等の操作によって、目標値のスライダＳ２の表示位置が変更される。すなわち使用者の所望する制御の目標値が設定される。
【００２１】
これによって図２のＣでは制御が開始され、現在値のスライダＳ１の表示位置がスライダＳ２の表示位置に向かって徐々に変化される。そして図２のＤでスライダＳ１、Ｓ２の表示位置が一致され、情報の現在値が目標値に達して制御が完了したことが明示される。
【００２２】
従ってこの請求項１の方法において、スクロールバーに複数のスライダを設けて、少なくとも情報の現在値と目標値が表示されることによって、例えば制御の途中の現在値や使用者が設定した目標値を容易に確認することができ、また制御対象の状況の把握も容易になり、使用者に無用な混乱を与える恐れが解消されると共に、制御の完了なども明示することができるものである。
【００２３】
さらに図３は請求項２に対応するものであって、ここでは上述の図１のＡの表示を用いた場合における動作の例を示している。そして図３のＡでは、制御は停止されており、現在値のスライダＳ１のみが表示されて、目標値のスライダＳ２の表示は消去されている。
【００２４】
これに対して例えば使用者のマウスやキーボード等の操作によって使用者の所望する制御の目標値が設定される。これによって図３のＢでは、新たに目標値のスライダＳ２が表示される。そして図３のＣで制御が開始され、現在値のスライダＳ１の表示位置がスライダＳ２の表示位置に向かって徐々に変化される。さらに図３のＤでスライダＳ１、Ｓ２の表示位置が一致される。
【００２５】
そしてこのスライダＳ１、Ｓ２の表示位置が一致された状態では、図３のＥに示すように目標値のスライダＳ２の表示が消去される。これによって、この図３のＥでは、スライダＳ１、Ｓ２の表示位置が一致され、例えば情報の現在値が目標値に達して制御が完了したことが一層明瞭に表示される。
【００２６】
すなわちこの図３の例においては、スライダＳ１、Ｓ２の表示位置が一致され、例えば情報の現在値が目標値に達して制御が完了したことが、目標値のスライダＳ２の表示の消去という形で表現されるために、制御の完了が一層明瞭に表示されるものである。
【００２７】
また、図４も請求項２に対応するものであって、ここでは上述の図１のＢの表示を用いた場合における動作の例を示している。そして図４のＡでは、制御は停止されており、現在値のスライダＳ１のみが表示されて、目標値のスライダＳ２の表示は消去されている。
【００２８】
これに対して例えば使用者のマウスやキーボード等の操作によって使用者の所望する制御の目標値が設定される。これによって図４のＢでは、新たに目標値のスライダＳ２が表示される。そして図４のＣで制御が開始され、現在値のスライダＳ１の表示位置がスライダＳ２の表示位置に向かって徐々に変化される。さらに図４のＤでスライダＳ１、Ｓ２の表示位置が一致される。
【００２９】
そしてこのスライダＳ１、Ｓ２の表示位置が一致された状態では、図４のＥに示すように目標値のスライダＳ２の表示が消去される。これによって、この図４のＥにおいても、スライダＳ１、Ｓ２の表示位置が一致されて、例えば情報の現在値が目標値に達して制御が完了したことが明瞭に表示される。
【００３０】
従ってこの請求項２の方法においては、目標値を表示するスライダが目標値の設定された時点から現在値が目標値に一致するまでの間のみ表示されることによって、例えば情報の現在値が目標値に達して制御が完了したことが一層明瞭に表示され、使用者に無用な混乱を与える恐れがさらに解消されるものである。
【００３１】
ところで、いわゆるインターネット等の情報通信網を用いて、例えば遠隔地に設置されたビデオカメラで撮影された画像を観視しながら、ビデオカメラの撮影方向及び／または撮影画角等を遠隔制御して、所望の画像の観視を行うシステムが提案されている。すなわち図５はそのようなシステムの一例の構成を示す図面である。
【００３２】
この図５において、ビデオカメラ１で撮影された映像信号はワークステーション（コンピュータ）２を通じてインターネット３等の情報通信網に発信される。これに対してパーソナルコンピュータ４ａ、４ｂでは、このインターネット３を通じて送信された映像信号を取り込んで、モニターディスプレイ５ａ、５ｂ等で表示することができる。
【００３３】
そしてこの場合に、例えばパーソナルコンピュータ４ａ、４ｂに設けられた操作入力手段（図示せず）を用いて、任意の遠隔制御の信号をインターネット３に送信することによって、このインターネット３を通じて送信された遠隔制御の信号がワークステーション２に取り込まれ、このワークステーション２で形成された制御信号がパンチルタ装置６に供給される。
【００３４】
これによって、例えばパーソナルコンピュータ４ａ、４ｂの使用者が、ビデオカメラ１で撮影された画像をモニターディスプレイ５ａ、５ｂ等で観視しながら、操作入力手段（図示せず）を操作することにより、ビデオカメラ１の撮影方向及び／または撮影画角等を遠隔制御して、所望の画像の観視を行うことができるものである。
【００３５】
ところがこの場合に、例えばパーソナルコンピュータ４ａの使用者が操作を行ったときに、パーソナルコンピュータ４ｂの使用者は、何もしていないのに突然ビデオカメラ１の撮影方向等が変化して、使用者に無用な混乱を与える恐れがある。そこで上述の本発明の情報表示方法においては、以下のようにしてその恐れを解消することができる。
【００３６】
すなわち図６は請求項３及び請求項４に対応するものであって、ここでは上述の図１のＢの表示を用いた場合における動作の例を示している。そして図６のＡでは、制御は停止されており、現在値のスライダＳ１のみが表示されて、目標値のスライダＳ２の表示は消去されている。
【００３７】
これに対して、例えば他の使用者が例えばパーソナルコンピュータ４ｂのマウスやキーボード等の操作によって目標値の設定を行うと、例えば自己である使用者のパーソナルコンピュータ４ａのモニターディスプレイ５ａに、例えば図６のＢに示すように新たにスライダＳ３が表示される。
【００３８】
そして図６のＣで制御が開始され、現在値のスライダＳ１の表示位置がスライダＳ３の表示位置に向かって徐々に変化される。さらに図６のＤでスライダＳ１、Ｓ３の表示位置が一致される。そしてこのスライダＳ１、Ｓ３の表示位置が一致された状態では、図６のＥに示すように目標値のスライダＳ３の表示が消去される。
【００３９】
すなわちこの場合に、例えば自己である使用者のパーソナルコンピュータ４ａのモニターディスプレイ５ａにも、他の使用者の操作によるスライダＳ３が表示されることによって、自己であるパーソナルコンピュータ４ａの使用者は、他の使用者が操作を行っていることを知ることができ、使用者に無用な混乱を与える恐れを解消することができる。
【００４０】
さらにこのスライダＳ３の形状や色彩を、上述のスライダＳ２の形状や色彩と互いに異なるものにしておくことによって、行われた操作が自己である使用者のものであるか、他の使用者のものであるかを明確に把握することができ、使用者に与える混乱をさらに少なくすることができるものである。
【００４１】
また図７は、上述の図１のＢの表示を用いて、自己である使用者と他の使用者の操作が競合した場合における動作の一例を示している。そして図７のＡでは、制御は停止されており、現在値のスライダＳ１のみが表示されて、目標値のスライダＳ２、Ｓ３の表示は消去されている。
【００４２】
そして先ず自己である使用者が、例えばパーソナルコンピュータ４ａのマウスやキーボード等の操作によって目標値の設定を行うと、パーソナルコンピュータ４ａのモニターディスプレイ５ａに、例えば図７のＢに示すように新たにスライダＳ２が表示され、図７のＣで制御が開始されて現在値のスライダＳ１の表示位置がスライダＳ２の表示位置に向かって徐々に変化される。
【００４３】
これに対して、他の使用者が例えばパーソナルコンピュータ４ｂのマウスやキーボード等の操作によって目標値の設定を行うと、パーソナルコンピュータ４ａのモニターディスプレイ５ａには、例えば図７のＤに示すように新たにスライダＳ３が表示される。そして図７のＥで制御が開始されて現在値のスライダＳ１の表示位置がスライダＳ３の表示位置に向かって徐々に変化される。
【００４４】
すなわち例えば図７のＤの状態で何らかの優先順位が判断される。そして他の使用者の優先順位が高い場合には、スライダＳ２が消去されると共に、新たにスライダＳ３が表示されて、図７のＥでスライダＳ３の表示位置に向かって制御が行われる。さらに図７のＦでスライダＳ１、Ｓ３の表示位置が一致されると、図７のＧに示すように目標値のスライダＳ３の表示が消去される。
【００４５】
さらに図８は、上述の図１のＢの表示を用いて、自己である使用者と他の使用者の操作が競合した場合における動作の他の例を示している。そして図８のＡでは、制御は停止されており、現在値のスライダＳ１のみが表示されて、目標値のスライダＳ２、Ｓ３の表示は消去されている。
【００４６】
そこで、他の使用者が例えばパーソナルコンピュータ４ｂのマウスやキーボード等の操作によって目標値の設定を行うと、自己である使用者のパーソナルコンピュータ４ａのモニターディスプレイ５ａにも、例えば図８のＢに示すように新たにスライダＳ３が表示され、図８のＣで制御が開始されて現在値のスライダＳ１の表示位置がスライダＳ３の表示位置に向かって徐々に変化される。
【００４７】
これに対して、自己である使用者が例えばパーソナルコンピュータ４ａのマウスやキーボード等の操作によって目標値の設定を行うと、パーソナルコンピュータ４ａのモニターディスプレイ５ａには、例えば図８のＤに示すように新たにスライダＳ２が表示される。そして図８のＥで制御が開始されて現在値のスライダＳ１の表示位置がスライダＳ２の表示位置に向かって徐々に変化される。
【００４８】
すなわち例えば図８のＤの状態で何らかの優先順位が判断される。そして他の使用者の優先順位が高い場合には、スライダＳ３が消去されると共に、新たにスライダＳ２が表示されて、図８のＥでスライダＳ２の表示位置に向かって制御が行われる。さらに図８のＦでスライダＳ１、Ｓ２の表示位置が一致されると、図８のＧに示すように目標値のスライダＳ２の表示が消去される。
【００４９】
従ってこの請求項３及び請求項４の方法においては、複数の使用者による操作が行われた場合に、自己である使用者のディスプレイにも、他の使用者の操作によるスライダが表示されることによって、自己である使用者は、他の使用者が操作を行っていることを知ることができ、使用者に無用な混乱を与える恐れを解消することができるものである。
【００５０】
こうして上述の情報表示方法によれば、スクロールバーとスライダを用いて情報の表示を行う情報表示方法において、スクロールバーに複数のスライダを設け、複数のスライダによって少なくとも情報の現在値と目標値を表示することにより、例えば制御の途中の現在値や使用者が設定した目標値を容易に確認することができるものである。
【００５１】
なお、本発明は上述した各種の例に限らず、例えばインターネット等の情報通信網を介さないシステムや、操作／表示と制御を一つのコンピュータで行うシステムにも適用することができるものである。
【００５２】
また、本発明における制御の対象は、上述のビデオカメラ（撮像装置）に限らず、一般的な機械などの制御にも応用することができる。さらにスクロールバーやスライダ、あるいは画面の全体の表示の形態は、上述の例に限られるものではなく、画像を含まない表示においても応用することができるものである。
【００５３】
なお本発明は、上述の説明した実施形態に限定されるものではなく、本発明の精神を逸脱することなく種々の変形が可能とされるものである。
【図面の簡単な説明】
【００５４】
【図１】本発明の情報表示方法の一例の構成図である。
【図２】その動作の説明のための図である。
【図３】その動作の説明のための図である。
【図４】その動作の説明のための図である。
【図５】本発明の適用されるシステムの一例の構成を示す図である。
【図６】それに適用された本発明の情報表示方法の他の例の動作の説明のための図である。
【図７】その動作の説明のための図である。
【図８】その動作の説明のための図である。
【図９】従来の情報表示方法の説明のための図である。
【図１０】従来の情報表示方法の説明のための図である。
【符号の説明】
【００５５】
Ｂ…スクロールバー、Ｓ１，Ｓ２，Ｓ３…スライダ
【図１】
2006146963.tif 000003
【図２】
2006146963.tif 000004
【図３】
2006146963.tif 000005
【図４】
2006146963.tif 000006
【図５】
2006146963.tif 000007
【図６】
2006146963.tif 000008
【図７】
2006146963.tif 000009
【図８】
2006146963.tif 000010
【図９】
2006146963.tif 000011
【図１０】
2006146963.tif 000012